(57)【要約】【課題】本発明は基板設計やコネクタ設計の自由度を制限されることなく、コンタクト１４の接続部１６の配置が複雑にならず、コネクタ組立性や客先での実装性がよいカードコネクタ１０を提供する。【解決手段】本目的は複数枚のカードが挿抜されるカードコネクタ１０であって、カードと接触する接触部を有する所要数のコンタクト１４と、コンタクト１４が保持・配列されるとともにカードが挿入される１又は複数の嵌合口を有するハウジング１２とを備えるカードコネクタ１０において、コンタクト１４には少なくとも２以上のカード５０、６０と接触する接触部２２、２４を備え、同一コンタクト１４で少なくとも２以上のカード５０、６０と接触可能にすることにより達成できる。【選択図】  図２
2006134687.tif 000002
【特許請求の範囲】
【請求項１】
複数枚のカードが挿抜されるカードコネクタであって、前記カードと接触する接触部を有する所要数のコンタクトと、該コンタクトが保持・配列されるとともに前記カードが挿入される１又は複数の嵌合口を有するハウジングとを備えるカードコネクタにおいて、
前記コンタクトには少なくとも２以上のカードと接触する接触部を備え、同一コンタクトで少なくとも２以上のカードと接触可能にすることを特徴とするカードコネクタ。
【請求項２】
上下２段に２枚のカードが挿抜されるカードコネクタであって、前記カードと接触する接触部を有する所要数のコンタクトと、該コンタクトが保持・配列されるとともに前記カードが挿入される２つの嵌合口を有するハウジングとを備えるカードコネクタにおいて、
前記コンタクトには２つのカードと接触する接触部を備え、同一コンタクトで２つのカードと接触可能にすることを特徴とするカードコネクタ。
【請求項３】
前記ハウジングは上部壁と下部壁とを有し、前記上部壁と前記下部壁を連結する２つの側壁と奥行壁とを有し、これらの前記上部壁と前記下部壁と２つの側壁と奥行壁より前記嵌合口を形成するとともにそれぞれの前記側壁の内側にカードが挿入される際に前記コンタクトの接触部までガイドされるガイド部を有することを特徴とする請求項１または２記載のカードコネクタ。
【請求項４】
前記コンタクトは、一端側に基板等に接続する接続部を有し、該接続部の近傍に前記接続部に連設する前記ハウジングに固定する保持部を有し、他端側に対応するカードに接触する接触部を有する接触片を、前記保持部より複数に分割するように配置することを特徴とする請求項１または２記載のカードコネクタ。
【請求項５】
最下段より上側に挿入されるカードと接触する前記コンタクトの接触片は、挿入される嵌合口より下にある嵌合口には突出しないように屈曲させることを特徴とする請求項４記載のカードコネクタ。
【請求項６】
前記コンタクトを嵌合側より前記ハウジングに挿入・保持することを特徴とする請求項１〜５項のうちいずれか１項記載のカードコネクタ。
【発明の詳細な説明】
【技術分野】
【０００１】
本発明は、機器内の電子・電気機器やプリンターやカードリーダに使用されるカードコネクタに関するもので、特に複数のカードに同一コンタクトで対応できるようにしたカードコネクタに関するものである。
【背景技術】
【０００２】
従来、種々の情報の媒体となる異なるカードが存在し、コネクタを情報機器に取り付け、コネクタを介して媒体の蓄積情報の取り出しまたは蓄積を行なっている。
従来のカードコネクタでは、下記の特許文献１（特開２００３−３１８６１）や特許文献２（特願２００４−１６１２９３）のように、前記コネクタに挿入できる各カードに１対１に対応するコンタクトが配置され、前記コンタクトは少なくともカードと接触する接触部とハウジングに保持される保持部と基板等に接続される接続部とを有している。
【特許文献１】特開２００３−３１８６１の要約によると、全体の形状の小型化のため、プッシュ・イン、プッシュ・アウトの機構を複数種類のＩＣカードに共有化したＩＣカード用コネクタを提供することを目的とし、複数種類のＩＣカードを共通のハウジングの挿入口に差込んでＩＣカードの電極と挿入口内のコンタクトを接続するようにしたＩＣカード用コネクタにおいて、ハウジング内に、ＩＣカードのプッシュ・イン、プッシュ・アウトの着脱動作に連動して進退動作をするスライダと、このスライダのプッシュ・インのときにロックし、プッシュ・アウトのときにロックを解除するロック機構部とを具備し、スライダに、複数種類のＩＣカードの形状に応じて係合するように、ＩＣカードの幅、ＩＣカードの長さ、ＩＣカードの先端形状、ＩＣカードの電極位置、ハウジングのコンタクト位置に応じて形状と位置を設定する構造のＩＣカード用コネクタが開示され、かつ、図１及び図２に、それぞれのカードに１対１に対応するコンタクトが配置されているものが開示されている。
【特許文献２】本出願人が既に提案した特願２００４−１６１２９３の要約によると、１枚のカードが挿入されると他のカードの挿入を防止できるとともに、小型化もでき、基板の回路設計上も制限なく、高密度化にも支障がなく、筐体設計もし易く、カードの抜去もし易いカードコネクタを提供することを目的とし、複数のメモリカードの接続部と接触する所要数のコンタクトと、複数のメモリカードが挿入される複数の挿入口を有するとともにコンタクトが配列・保持されるハウジングとを備えるカードコネクタにおいて、ハウジングの所定の位置に、１種のメモリカードが挿入された際に回動若しくは移動可能な少なくとも１個以上のロック部材及び１種のメモリカードが挿入された際に変位可能な少なくとも１個以上のバネ部材とを設け、ロック部材とバネ部材により１種のメモリカードしか挿入できないようにする構造のカードコネクタが開示され、かつ、図１、図２及び図３には各カードに１対１に対応するコンタクトが配置されているものが開示されている。
【発明の開示】
【発明が解決しようとする課題】
【０００３】
近年、情報機器の小型化が進み、基板の小型化も進む中、基板の占有面積にも限りがある。基板の占有面積の制限は、必然的に基板の複数化となり、また、複数のメモリーカードを交換する際に、別々のコネクタを用意しておくことは、情報機器を大型化することになり、携帯等に不便である。そのため、上記した文献のように、複数のカードを挿入できる構造のものが提案されてきている。
特許文献１及び２のような構造のものでは、コネクタに挿入できるカードの枚数分だけコンタクトの種類が必要になり、前記コンタクトの接続部の配置が複雑になり、コネクタ組立性や客先での実装性が難しくなるといった問題点があった。また、カードの枚数分だけの前記コンタクトが必要になると、基板の占有面積も多くなってしまい、基板設計やコネクタ設計にも自由度の制限に繋がる。
【０００４】
本発明は、このような従来の問題点に鑑みてなされたもので、基板設計やコネクタ設計の自由度を制限されることなく、コンタクトの接続部の配置が複雑にならず、コネクタ組立性や客先での実装性がよいカードコネクタを提供せんとするものである。
【課題を解決するための手段】
【０００５】
上記目的は、複数枚のカードが挿抜されるカードコネクタ１０であって、前記カードと接触する接触部を有する所要数のコンタクト１４と、該コンタクト１４が保持・配列されるとともに前記カードが挿入される１又は複数の嵌合口を有するハウジング１２とを備えるカードコネクタ１０において、前記コンタクト１４には少なくとも２以上のカード５０、６０と接触する接触部２２、２４を備え、同一コンタクト１４で少なくとも２以上のカード５０、６０と接触可能にすることにより達成できる。
【０００６】
カード５０、６０が上下２段に挿入される場合には、上記目的は、上下２段に２枚のカード５０、６０が挿抜されるカードコネクタ１０であって、前記カード５０、６０と接触する接触部を有する所要数のコンタクト１４と、該コンタクト１４が保持・配列されるとともに前記カード５０、６０が挿入される２つの嵌合口２６、２８を有するハウジング１２とを備えるカードコネクタ１０において、前記コンタクト１４には２つのカード５０、６０と接触する接触部２２、２４を備え、同一コンタクト１４で２つのカード５０、６０と接触可能にすることにより達成できる。
【０００７】
前記ハウジング１２は上部壁３０と下部壁３２とを有し、前記上部壁３０と前記下部壁３２を連結する２つの側壁３４、３４と奥行壁３６とを有し、これらの前記上部壁３０と前記下部壁３２と２つの側壁３４、３４と奥行壁３６より前記嵌合口２６、２８を形成するとともにそれぞれの前記側壁３４、３４の内側にカード５０、６０が挿入される際に前記コンタクト１４の接触部２２、２４までガイドされるガイド部３８を有するようにする。
また、前記コンタクト１４は、一端側に基板等に接続する接続部１６を有し、該接続部１６の近傍に前記接続部１６に連設する前記ハウジング１２に固定する保持部１８を有し、他端側に対応するカードに接触する接触部２２、２４を有する接触片２０、２０を、前記保持部１８より複数に分割するように配置する。
最下段より上側に挿入されるカード６０と接触する前記コンタクト１４の接触片２０は、挿入される嵌合口２８より下にある嵌合口２６には突出しないように屈曲させる。
さらに、前記コンタクト１４を嵌合側より前記ハウジング１２に挿入・保持する。
【発明の効果】
【０００８】
以上の説明から明らかなように、本発明のカードコネクタ１０によると、次のような優れた顕著な効果が得られる。
（１）複数枚のカードが挿抜されるカードコネクタ１０であって、前記カードと接触する接触部を有する所要数のコンタクト１４と、該コンタクト１４が保持・配列されるとともに前記カードが挿入される１又は複数の嵌合口を有するハウジング１２とを備えるカードコネクタ１０において、前記コンタクト１４には少なくとも２以上のカード５０、６０と接触する接触部２２、２４を備え、同一コンタクト１４で少なくとも２以上のカード５０、６０と接触可能にしているので、基板設計やコネクタ設計の自由度を制限されることなく、コンタクト１４の接続部１６の配置が複雑にならなく、コネクタ組立性や客先での実装性が容易で、基板占有面積が制限されないカードコネクタ１０を提供できる。
（２）上下２段に２枚のカード５０、６０が挿抜されるカードコネクタ１０であって、前記カード５０、６０と接触する接触部を有する所要数のコンタクト１４と、該コンタクト１４が保持・配列されるとともに前記カード５０、６０が挿入される２つの嵌合口２６、２８を有するハウジング１２とを備えるカードコネクタ１０において、前記コンタクト１４には２つのカード５０、６０と接触する接触部２２、２４を備え、同一コンタクト１４で２つのカード５０、６０と接触可能にしているので、基板設計やコネクタ設計の自由度を制限されることなく、コンタクト１４の接続部１６の配置が複雑にならなく、コネクタ組立性や客先での実装性が容易で、基板占有面積が制限されないカードコネクタ１０を提供できる。
（３）前記ハウジング１２は上部壁３０と下部壁３２とを有し、前記上部壁３０と前記下部壁３２を連結する２つの側壁３４、３４と奥行壁３６とを有し、これらの前記上部壁３０と前記下部壁３２と２つの側壁３４、３４と奥行壁３６より前記嵌合口２６、２８を形成するとともにそれぞれの前記側壁３４、３４の内側にカード５０、６０が挿入される際に前記コンタクト１４の接触部２２、２４までガイドされるガイド部３８を有するようにしているので、確実にカード５０、６０を前記コンタクト１４の接触部２２、２４まで導くことができる。
（４）前記コンタクト１４は、一端側に基板等に接続する接続部１６を有し、該接続部１６の近傍に前記接続部１６に連設する前記ハウジング１２に固定する保持部１８を有し、他端側に対応するカード５０、６０に接触する接触部２２、２４を有する接触片２０、２０を、前記保持部１８より複数に分割するように配置しているので、容易に同一コンタクト１４を用い、複数のカード５０、６０と接触できる構造のカードコネクタ１０を提供できる。
（５）最下段より上側に挿入されるカード６０と接触する前記コンタクト１４の接触片２０は、挿入される嵌合口２８より下にある嵌合口２６には突出しないように屈曲させているので、確実に同一のコンタクト１４で複数のカード５０、６０に接触することができ、あるカードに接触できないということはない。
（６）前記コンタクト１４を嵌合側より前記ハウジング１２に挿入・保持しているので、前記接触片２０が複数ある前記コンタクト１４を容易に前記ハウジング１２に挿入でき、変形等を確認することが容易である。
【発明を実施するための最良の形態】
【０００９】
図１から図４に基づいて、本発明の一実施例について説明する。図１（Ａ）は嵌合側上面よりみた本発明のカードコネクタの斜視図であり、（Ｂ）はハウジングの上部壁を取り除いた状態で嵌合上面よりみたカードコネクタ斜視図である。図２（Ａ）は上段にカードが挿入された状態のカードコネクタの斜視図であり、（Ｂ）は下段にカードが挿入された状態のカードコネクタの斜視図である。図３はコンタクトの斜視図であり、図４はカードコネクタの正面図である。
本発明のカードコネクタ１０は、主にコンタクト１４とハウジング１２とを備えている。
【００１０】
構成部品を説明する前に、カードについて説明する。前記カードはプリンターやカードリーダ等に使用されるものであって、前記カードには主にコンタクト１４の接触部２２、２４と接触する接触部と該接触部から回路へ繋がるパターンと該パターン上に搭載されたＩＣやＣＰＵと第一スイッチ端子と接続する接続部とを備えている。本発明のカードコネクタ１０に使用されるカードとしては、マルチメディアカード（登録商標）、ＳＤカード（Secure  Digital  memory  card、登録商標）、メモリースティック（登録商標）、スマートメディア（登録商標）、コンパクトフラッシュ（登録商標）、ｘDカード（登録商標）メモリースティックデュオ（登録商標）などのように、メモリー用のＩＣが内臓されたＩＣカードが挙げられる。
本実施例のカードコネクタ１０では、上段にMemory-Stick６０が挿入され、下段にMemory-Stick  Duo５０が挿入される。
【００１１】
まず、本発明のポイントであるコンタクト１４について説明する。このコンタクト１４は金属製であり、公知技術のプレス加工によって製作されている。前記コンタクト１４の材質としては、導電性やバネ性や成形性などが要求されるので、黄銅やベリリウム銅やリン青銅等を挙げることができる。
前記コンタクト１４は、少なくとも複数の前記カード５０、６０に接触する接触部２２、２４と前記ハウジング１２に固定される保持部１８と基板に接続する接続部１６とを備えている。
【００１２】
前記コンタクト１４のポイントは、複数のカードに接触できるようにした点であり、例えば、上段に挿入されるMemory-Stick６０と下段に挿入されるMemory-Stick  Duo５０の両方のカード５０、６０と接触できるようにしたことにある。本実施例では図３のように２枚のカード５０、６０に接触できるようにしたが、複数枚のカードに接触できるように設計することも可能である。
本実施例では、前記接続部１６は図１にように表面実装タイプ（ＳＭＴタイプ）にしたが、ディップタイプであってもよく、取付ける基板の仕様によって適宜設計する。前記接続部１６の突出している側は本実施例では前記カード５０、６０の挿入側（嵌合口２６、２８側）にしているが、突出側は基板の仕様やカード５０、６０の接触部の位置やカード５０、６０の上下方向の挿入位置等を考慮して適宜設計し、前記カード５０、６０の挿入側と反対側に突出させてもよい。前記コンタクト１４の挿入性や変形等の確認を考えると、理想的には嵌合側（カード挿入側）より挿入・保持することが望ましい。
【００１３】
前記保持部１８は、前記ハウジング１２に固定する部分であり、本実施例では幅方向に矢じり等を設けて、圧入により固定している。圧入以外でも引っ掛けや溶着等によって固定してもよい。前記保持部１８の大きさは下述するように先端から接触片２０、２０が複数に分割されることや前記ハウジング１２の強度やカードコネクタ１０の小型化等を考慮して設計する。本実施例では、幅を２５ｍｍ程度にしている。
【００１４】
上述したように、同一のコンタクト１４（１つのコンタクト１４）で複数（本実施例では２枚）のカード５０、６０に接触できるようにするため、図３のように、前記保持部１８の先端から分割するように、本実施例では２つの接触片２０、２０が突出している。それぞれの接触片２０、２０の先端には、２枚のカード５０、６０と接触する接触部２２、２４が設けられている。前記接触部２２、２４の位置は、図１（Ｂ）のよう嵌合口２６、２８内に突出し所定の接触圧を得られるように、挿入されるカード５０、６０の接触部の位置やどちらのカード５０、６０が上下に挿入される等を考慮して適宜設計している。本実施例では、上段にMemory-Stick６０が挿入され、下段にMemory-Stick  Duo５０が挿入されるために、上段のMemory-Stick６０と接触するMemory-Stick用接触部２４側が長く、高くなっており、下段のMemory-Stick  Duo５０と接触するMemory-Stick  Duo用接触部２２が短く、低く配置されている。前記Memory-Stick用接触部２４をMemory-Stick用嵌合口２８に突出するように高くするため、途中から屈曲させることで高くしているが、その屈曲位置はMemory-Stick  Duo用嵌合口２６内に突出しないように設計している。即ち、最下段より上側に挿入されるカード６０と接触する前記コンタクト１４の接触片２０は、挿入される嵌合口２８より下にある嵌合口２６には突出しないように屈曲させている。そのぞれの接触片２０、２０の幅は、前記保持部１８の幅寸法の約半分程度にしている。
【００１５】
次に、ハウジング１２について説明する。このハウジング１２は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。前記ハウジング１２には、複数の前記カードが挿入される所要数の嵌合口が設けられている。本実施例では、前記嵌合口の数としては上下に２つ設けている。前記嵌合口２６、２８の大きさは前記カード５０、６０が挿入でき、前記カード５０、６０が挿入された際に前記コンタクト１４に接触できるように適宜設計されている。
【００１６】
前記ハウジング１２は、少なくとも上部壁３０と下部壁３２と２つの側壁３４、３４と奥行壁３６とを備えている。場合によっては、挿入されるカードの数量によって所要数の中間壁（縦・横）が設けられることもある。前記上部壁３０と前記下部壁３２と２つの前記側壁３４、３４と前記奥行壁３６によって、挿入されるカード５０、６０の嵌合口２６、２８が形成されている。つまり、上側の前記嵌合口２８には、Memory-Stickカード６０が挿入され、下側の前記嵌合口２６にはMemory-Stick  Duoカード５０が挿入されるようになっている。
また、それぞれのカード５０、６０が挿入された際に、前記カード５０、６０を前記コンタクトのそれぞれの接触部２２、２４まで導き易くするため、前記側壁３４、３４の内側にはガイド部３８、３８が設けられている。該ガイド部３８、３８の大きさは、前記カード５０、６０を前記コンタクトのそれぞれの接触部２２、２４まで導ければよく、前記カード５０、６０の大きさや前記ハウジング１２の強度を考慮して適宜設計する。
【００１７】
本実施例では、カード５０、６０が２段に挿入されるタイプのものを例示したが、カードの枚数に関係なく、本発明のように同一コンタクトで複数のカードに接触させる構造を採ることは可能である。
【産業上の利用可能性】
【００１８】
本発明の活用例としては、機器内の電子・電気機器やプリンターやカードリーダに使用されるカードコネクタ１０に活用され、特に複数のカードに同一コンタクト１４で対応できるようにしたカードコネクタ１０に関するものである。
【図面の簡単な説明】
【００１９】
【図１】（Ａ）  嵌合側上面よりみた本発明のカードコネクタの斜視図である。（Ｂ）  ハウジングの上部壁を取り除いた状態で嵌合上面よりみたカードコネクタ斜視図である。
【図２】（Ａ）  上段にカードが挿入された状態のカードコネクタの斜視図である。（Ｂ）  下段にカードが挿入された状態のカードコネクタの斜視図である。
【図３】コンタクトの斜視図である。
【図４】カードコネクタの正面図である。
【符号の説明】
【００２０】
１０    カードコネクタ
１２    ハウジング
１４    コンタクト
１６    接続部
１８    保持部
２０    接触片
２２    Memory-Stick  Duo用接触部
２４    Memory-Stick用接触部
２６    Memory-Stick  Duo用嵌合口
２８    Memory-Stick用嵌合口
３０    上部壁
３２    下部壁
３４    側壁
３６    奥行壁
３８    カード部
５０    Memory-Stick  Duoカード
６０    Memory-Stickカード
【図１】
2006134687.tif 000003
【図２】
2006134687.tif 000004
【図３】
2006134687.tif 000005
【図４】
2006134687.tif 000006